(57)【要約】【課題】印刷された用紙のあらゆる方向についての反りを確実に除去できるプリンタを提供する。【解決手段】給紙部から供給された用紙５に印刷をする印刷部の下流側に、雄型ローラ１１及び雌型ローラ１２を備えこれらの間を通過する印刷済み用紙５の全面を型押しする反り矯正部４を配置したプリンタを前提とする。印刷済み用紙５にその厚みより高い凹凸を付すように雄型ローラ１１の型押し凸部１１ａ及び雌型ローラ１２の型押し凹部１２ａを形成する。これとともに、型押し凸部１１ａ及び型押し凹部１２ａの夫々を断続的とし、かつ、反り矯正部４を通過した印刷済み用紙５に付された各被型押し部１５の縁１５ａが、印刷済み用紙５の面に沿う全ての方向について一直線に連続して並ばない配列となるように、型押し凸部１１ａを雄型ローラ１１の周面に並べて設けるとともに型押し凹部１２ａを雌型ローラ１２の周面に並べて設けている。【選択図】      図２
2007168992.tif 000002
【特許請求の範囲】
【請求項１】
給紙部と、この給紙部から供給された用紙に印刷をする印刷部と、この印刷部の下流側に配置されるとともに雄型ローラ及び雌型ローラを備えこれらの間を通過する印刷済み用紙の全面を型押しする反り矯正部とを具備したプリンタであって、
前記用紙の厚みより高い凹凸を前記印刷済み用紙に付すように前記雄型ローラの型押し凸部及び前記雌型ローラの型押し凹部を形成するとともに、
前記型押し凸部及び型押し凹部の夫々を連続的又は断続的とし、かつ、前記反り矯正部を通過した前記印刷済み用紙に付された各被型押し部の縁が、前記印刷済み用紙の面に沿う全ての方向について一直線に連続して並ばない配列となるように、前記型押し凸部を前記雄型ローラの周面に並べて設けるとともに前記型押し凹部を前記雌型ローラの周面に並べて設けたプリンタ。
【請求項２】
前記型押し凸部及び型押し凹部の形状を星形とした請求項１に記載のプリンタ。
【請求項３】
前記型押し凸部及び型押し凹部の形状を亀甲形とした請求項１に記載のプリンタ。
【発明の詳細な説明】
【技術分野】
【０００１】
本発明は、例えばレジスターが備える印刷装置、又は静電写真複写機やファクシミリ等の画像形成装置として使用されるプリンタに係り、特に、印刷済みの用紙の反りを除去する反り矯正部を有したプリンタに関する。
【背景技術】
【０００２】
従来、画像形成装置において、表面に筋状の微細な凹凸が例えばローレット加工により無数に形成された硬質ローラとこれに圧接した軟質ローラとの間に、定着処理用紙を通してこの定着処理用紙にミクロ的な折れを付すことで、定着処理用紙のカールを矯正する技術が知られている(例えば、特許文献１参照。)。
【特許文献１】特開平１０−２３１０６０号公報（段落0008.0009，0016−0018、図２−図５）
【発明の開示】
【発明が解決しようとする課題】
【０００３】
特許文献１の技術では、硬質ローラ表面の微細な凹凸が硬質ローラの軸方向と平行に形成されているため、用紙に付された折れは、用紙の幅方向のカールをある程度の矯正できるが、それ以外の方向のカールに対しての矯正効果は大きく低下する。特に、折れに対して９０度交差する方向、つまり、特許文献１の場合には用紙の搬送方向とする直交する方向についての用紙のカールは矯正できない。
【０００４】
ローレット加工には、特許文献１に記載の横のローレット加工の他に、用紙の送り方向に折れを作る縦のローレット加工、用紙の搬送方向に斜めに交差する斜めの折れを作る斜めのローレット加工、又は用紙の搬送方向に斜めでかつ互いに交差する格子状の折れを作る斜め格子のローレット加工が知られている。しかし、これらの場合も、一本一本の折れ目が直線状に連続して設けられることには変わりがないため、その折れ目が延びる方向に直交する方向のカールに対しては効果がない。
【０００５】
又、特許文献１の技術は、用紙に対してミクロ的な折れを付すものであるから、矯正力が小さく、そのことは、特許文献１に記載のように硬質ローラ表面の微細な凹凸を亀甲模様とした場合においても同様である。
【０００６】
したがって、例えばレジスターが備える印刷装置等で使用する用紙のようにロール状に巻き付けられていて、その巻き癖が強い用紙の場合には、この用紙の反りを特許文献１の技術で矯正するには十分ではない。このため、例え一旦はカールが除去されたようになっても、時間の経過とともにカールが戻ってしまい易い。
【０００７】
本発明の目的は、印刷された用紙のあらゆる方向についての反りを確実に除去できるプリンタを提供することにある。
【課題を解決するための手段】
【０００８】
本発明は、給紙部から供給された用紙に印刷をする印刷部の下流側に、雄型ローラ及び雌型ローラを備えこれらの間を通過する印刷済み用紙の全面を型押しする反り矯正部を配置したプリンタを前提とする。そして、前記目的達成のために、印刷済み用紙にその厚みより高い凹凸を付すように雄型ローラの型押し凸部及び雌型ローラの型押し凹部を形成するとともに、これら型押し凸部と型押し凹部の夫々を連続的又は断続的とし、かつ、反り矯正部を通過した印刷済み用紙に付された各被型押し部の縁が、印刷済み用紙の面に沿う全ての方向について一直線に連続して並ばない配列となるように、型押し凸部を雄型ローラの周面に並べて設けるとともに型押し凹部を雌型ローラの周面に並べて設けている。
【発明の効果】
【０００９】
本発明のプリンタによれば、印刷済み用紙に対して付けられた各被型押し部の縁が、印刷済み用紙の面に沿う全ての方向について一直線に連続して並ばない配列となるように用紙を型押しするとともに、用紙の厚みよりも高い凹凸の被型押し部を用紙に付与して反りに対する矯正力を大きくしたので、印刷された用紙のあらゆる方向についての反りを確実に除去できる。
【発明を実施するための最良の形態】
【００１０】
図１〜図４を参照して本発明の第１実施形態を説明する。
【００１１】
図１中符号１はレジスターが備えるプリンタを示している。このプリンタ１は、例えばサーマルプリンタであって、給紙部２と、印刷部３と、反り矯正部４とを備えている。
【００１２】
給紙部２は用紙セット部材２ａを有している。用紙セット部材２ａには印刷対象の用紙として例えば感熱式のレシート用紙５がセットされている。レシート用紙５は、巻芯６に巻き付けられて、比較的小径なロール状をなしていて、そのためにかなり強い巻き癖が付いた状態で給紙部２の用紙出口２ｂから導出されるようになっている。このレシート用紙５は例えば幅は５８ｍｍ、厚さ０.０７５ｍｍの用紙である。
【００１３】
印刷部３は用紙出口２ｂの下流側に連続するように配置されている。この印刷部３は、送りローラを兼ねるプラテン８と、これに接するように設けられた印刷ヘッド９等を備えている。用紙出口２ｂから導出されたレシート用紙５は、プラテン８と印刷ヘッド９との間を通る際に文字や数字及び図柄等の印刷情報を印刷され、印刷動作後のプラテン８の回転に伴って給紙部２から引き出されて印刷部３を通過する。
【００１４】
反り矯正部４は印刷部３の下流側に配置されている。印刷が施されたレシート用紙５は反り矯正部４を通過して、巻き癖等に起因して生じていた反りが矯正され平らになった状態で、プリンタ１の筐体１ａに形成された排紙口１０を通って外部に排出される。この反り矯正部４は印刷済みのレシート用紙５を排紙口１０に通過させる紙移送機能を有している。
【００１５】
反り矯正部４は雄型ローラ１１及び雌型ローラ１２を備えている。これら一対のローラは、互いの周面を適当な圧力で接触させながら互いに逆方向に同期して回転駆動される。
【００１６】
雄型ローラ１１及び雌型ローラ１２の周部は合成樹脂例えばポリアセタール樹脂で形成されている。図２に示すように雄型ローラ１１の周部には多数の型押し凸部１１ａが形成され、これに対応して雌型ローラ１２の周部には多数の型押し凹部１２ａが形成されている。これらの型押し凸部１１ａと型押し凹部１２ａの嵌合及びこの嵌合の解除を伴いながら雄型ローラ１１及び雌型ローラ１２とは同期回転される。
【００１７】
型押し凸部１１ａと型押し凹部１２ａの高さ、言い換えれば、これらの嵌合深さは、レシート用紙５の厚みより大きく設定されている。それにより、印刷済みのレシート用紙５に例えば高さ０.５ｍｍの凹凸を付与するようになっている。
【００１８】
各型押し凸部１１ａ同士及び各型押し凹部１２ａ同士は、いずれも同じ大きさである。これら型押し凸部１１ａ及びそれに対応する型押し凹部１２ａの形状は、いずれも同じで、幾何学形状、好ましくは星形、例えば四芒星である。
【００１９】
各型押し凸部１１ａは雄型ローラ１１の軸方向及び周方向のいずれにも断続的つまり非連続に並べて設けられ、同様に各型押し凹部１２ａも雌型ローラ１２の軸方向及び周方向のいずれにも断続的つまり非連続に並べて設けられている。
【００２０】
詳しくは、図３に例示するように反り矯正部４によって印刷済みのレシート用紙５に付されて凹凸模様をなした各被型押し部１５の縁１５ａが、印刷済みのレシート用紙５の面に沿う全ての方向について一直線に連続して並ばない配列となるように、各型押し凸部１１ａが雄型ローラ１１の周面に設けられているとともに、各型押し凹部１２ａが雌型ローラ１２の周面に設けられている。したがって、各型押し凸部１１ａの縁も、どの方向から見ても一直線に連続して並ばないように各型押し凸部１１ａが配列されているとともに、各型押し凹部１２ａの縁も、どの方向から見ても一直線に連続して並ばないように各型押し凹部１２ａが配列されている。
【００２１】
しかも、型押しされたレシート用紙５において図３に例示するように四芒星形状の被型押し部１５の光芒に相当する４つの先細状突起の内で隣接する先細状突起間の窪んだところに、隣接した被型押し部１５の一つの先細状突起が入り込んでいる。それにより、各被型押し部１５が入り組んだ状態となる型押しができるように、各型押し凸部１１ａが雄型ローラ１１の周面に設けられているとともに、各型押し凹部１２ａが雌型ローラ１２の周面に設けられている。
【００２２】
したがって、型押しされたレシート用紙５において図３に例示するように入り組んだ各被型押し部１５の内で、レシート用紙５の移動方向（図３中矢印Ｃで示す。）に沿うように並んだ各被型押し部１５の列（代表的に一列のみ符号Ｘで示す。）と、レシート用紙５の幅方向に沿うように並んだ各被型押し部１５の列（代表的に一列のみ符号Ｙで示す。）とが、夫々レシート用紙５の移動方向に対して斜めに交差された状態に型押しができるように、各型押し凸部１１ａが雄型ローラ１１の周面に設けられているとともに、各型押し凹部１２ａが雌型ローラ１２の周面に設けられている。
【００２３】
その上、各型押し凸部１１ａ及び各型押し凹部１２ａの縁は、直角ではなく、丸みを帯びて、具体的には前記縁が延びる方向と直角の断面形状を円又は楕円の一部とすることで形成され、その半径は例えば０．２ｍｍである。なお、これに代えて、４５度の傾斜面となる面取りを施した縁とすることもできる。こうして丸みを帯びさせたことにより、図４に示すように被型押し部１５の角部１５ｃ（一部の角部は縁１５ａが兼ねている。）が丸みを帯びる。このため、印刷情報が読みづらくなることを抑制できるとともに、角部１５ｃに過大なダメージが与えられて用紙が破損する恐れを回避できる点で好ましい。
【００２４】
反り矯正部４では、これを通過する印刷済みのレシート用紙５に対して、雄型ローラ１１の型押し凸部１１ａと雌型ローラ１２の型押し凹部１２ａとにより、それらの形状に対応した被型押し部１５を所定の規則性を持った配列パターンで付与することができる。それにより、前記反り矯正部４を備えたプリンタ１は、その印刷部３で印刷されたレシート用紙５を、それが有している反りを矯正し平らな状態にして、排紙口１０から排出できる。
【００２５】
反り矯正部４によって、図３に示すようにレシート用紙５に付された多数の星形の被型押し部１５の縁１５ａが、レシート用紙５の面に沿う全ての方向について一直線に連続して並ばない配列をなして、各被型押し部１５が設けられる。これに応じて、当然に、各被型押し部１５間の用紙の地がなす地模様５ａも、レシート用紙５の面に沿う全ての方向について一直線に連続して延びないように形成される。又、以上の結果として、幾何学形状の被型押し部１５の縁１５ａを、縦、横、斜めなどの全ての方向に投影した場合、全ての投影位置で他の複数の被型押し部１５の縁１５ａが、投影方向に常に交差して位置されるように各被型押し部１５が設けられている。
【００２６】
このように各被型押し部１５の縁１５ａが地模様５ａで分断され一直線に連続して並ばないとともに、地模様５ａも被型押し部１５で邪魔され一直線に連続して伸びていないので、あらゆる方向に沿うレシート用紙５の反りが矯正される。そして、既述のように各縁１５ａの投影方向に他の複数の被型押し部１５の縁１５ａが常に複数交差しているので、これら縁１５ａが、前記一直線に対して直角に交差する方向の反りに対する抵抗となる。
【００２７】
したがって、反り矯正部４にレシート用紙５を通過させ、このレシート用紙５に型押しを施すことによって、予め反りを有していたレシート用紙５のあらゆる方向の反りを矯正できる。
【００２８】
そして、反り矯正部４はレシート用紙５に対して既述の配列パターンをなす各被型押し部１５を、レシート用紙５の厚みより高く、言い換えれば深く形成するので、これらの各被型押し部１５によってレシート用紙５の腰を強くできる。それだけではなく、断続的な星形の被型押し部１５ａ同士が既述のように入り組んでいるので、レシート用紙５の全面積に対して多数の被型押し部１５を高密度に配設できる上、各被型押し部１５の形状が大きくなって単位面積当たりに占める縁１５ａの長さを長くできる。
【００２９】
これにより、レシート用紙５の腰の強さを格段に向上できて、型押し後におけるレシート用紙５の平らな状態を保持するのに必要とする剛性をレシート用紙５に与えることができる。したがって、巻き癖が強いレシート用紙５であっても、矯正後に時間の経過とともに反りが戻ってしまうことを確実に防止できる。
【００３０】
本発明の第２実施形態を説明する。第２実施形態に係るプリンタは、その雄型ローラの型押し凸部と雌型ローラの型押し凹部の形状のみが、第１実施形態とは異なるので、必要に応じて図１及び図２を参照して以下説明し、第１実施形態と同一部分についての説明は省略する。
【００３１】
第２実施形態のプリンタ１で印刷されてその反り矯正部４を通過した後のレシート用紙５には、その全面に第１実施形態とは異なる星形、例えば五芒星の被型押し部１５が第１実施形態の場合と同様の配列パターンで付されている。したがって、雄型ローラ１１の周面に設けられた多数の型押し凸部１１ａ、及び雌型ローラ１２の周面に設けられた型押し凹部１２ａの形状は、五芒星の形となっている。この点以外は第１実施形態と同じ構成である。
【００３２】
したがって、第２実施形態でも、第１実施形態と同じ作用を得て本発明の課題を解決して、印刷された用紙のあらゆる方向についての反りを確実に除去できる。なお、型押し凸部１１ａ及び型押し凹部１２ａをなす幾何学形状をなす星形としては、六芒星、七芒星、八芒星等の星形正多角形を挙げることができる。
【００３３】
本発明の第３実施形態を説明する。第３実施形態に係るプリンタは、その雄型ローラの型押し凸部と雌型ローラの型押し凹部の形状のみが、第１実施形態とは異なるので、必要に応じて図１及び図２を参照して以下説明し、第１実施形態と同一部分についての説明は省略する。
【００３４】
第３実施形態のプリンタ１で印刷されてその反り矯正部４を通過した後のレシート用紙５には、その全面に多数の六角形例えば正六角形の被型押し部１５が亀甲模様をなす配列パターンで付されている。したがって、雄型ローラ１１の周面に設けられた多数の型押し凸部１１ａ、及び雌型ローラ１２の周面に設けられた多数の型押し凹部１２ａの形状は、亀甲形の配列パターンをなす正六角形となっている。この点以外は第１実施形態と同じ構成である。
【００３５】
この第３実施形態では、レシート用紙５に付与した各被型押し部１５の縁１５ａが地模様（黒の太線で描かれた部分）で分断され一直線に連続して並ばないとともに、地模様はどの方向にも一直線に連続して伸びることなくジグザグ形状となっているので、あらゆる方向に沿うレシート用紙５の反りが矯正される。しかも、第１実施形態と同様に各縁１５ａの投影方向に他の複数の被型押し部１５の縁１５ａが常に複数交差しているので、これら縁が、前記一直線に対して直角に交差する方向の反りに対する抵抗となる。
【００３６】
したがって、第３実施形態でも、第１実施形態と同じ作用を得て本発明の課題を解決して、印刷された用紙のあらゆる方向についての反りを確実に除去できる。しかも、亀甲模様の凹凸を付されたレシート用紙５は、第１、第２の実施形態で示した芒星形状の組み合わせに比較して更に高い剛性を得られるので、矯正後の反りの戻りをよく確実に防止できる点で優れている。
【００３７】
本発明の第４実施形態を説明する。第４実施形態に係るプリンタは、その雄型ローラの型押し凸部と雌型ローラの型押し凹部の形状のみが、第１実施形態とは異なるので、必要に応じて図１及び図２を参照して以下説明し、第１実施形態と同一部分についての説明は省略する。
【００３８】
第４実施形態のプリンタ１で印刷されてその反り矯正部４を通過した後のレシート用紙５には、その全面に多数の六角形例えば正六角形の地模様５ａが、亀甲模様をなす配列パターンとなるように被型押し部１５が設けられている。したがって、雄型ローラ１１の周面に設けられた多数の型押し凸部１１ａ、及び雌型ローラ１２の周面に設けられた多数型押し凹部１２ａの形状は、亀甲形の配列パターンをなす正六角形相互間の境目の形状に相当し、かつ、レシート用紙５の移動方向Ｃに対して斜めに交差するジグザグ形状に相当する形状となっている。この点以外は第１実施形態と同じ構成である。
【００３９】
この第４実施形態では、レシート用紙５に付与した各被型押し部１５が一直線に連続して伸びることなくジグザグ形状となっているとともに、地模様５ａが各被型押し部１５で分断され一直線に連続して並ばないので、あらゆる方向に沿うレシート用紙５の反りが矯正される。しかも、第１実施形態と同様に各被型押し部１５の縁の投影方向に他の複数の被型押し部１５の縁が常に複数交差しているので、これら縁が、前記一直線に対して直角に交差する方向の反りに対する抵抗となる。
【００４０】
したがって、第４実施形態でも、第１実施形態と同じ作用を得て本発明の課題を解決して、印刷された用紙のあらゆる方向についての反りを確実に除去できる。しかも、亀甲模様の凹凸を付されたレシート用紙５は、第１、第２の実施形態で示した芒星形状の組み合わせに比較して更に高い剛性を得られるので、矯正後の反りの戻りをよく確実に防止できる点で優れている。
【００４１】
本発明の第５実施形態を説明する。第５実施形態に係るプリンタは、その雄型ローラの型押し凸部と雌型ローラの型押し凹部の形状のみが、第１実施形態とは異なるので、必要に応じて図１及び図２を参照して以下説明し、第１実施形態と同一部分についての説明は省略する。
【００４２】
第５実施形態のプリンタ１で印刷されてその反り矯正部４を通過した後のレシート用紙５には、その全面に、連続的な幾何学形状、例えば波形、具体的にはジグザグなのこぎりの歯形状をなす多数の被型押し部１５が付されている。そして、各被型押し部１５は、例えばその波形が連続する方向をレシート用紙５の移動方向に一致させて設けられているとともに、レシート用紙５の幅方向に隣接した被型押し部１５同士が、その内の一方の被型押し部がなす鋭角な曲がり部を、他方の被型押し部がなすＶ字形に凹んだ部分に入り込ませた配列パターンで設けられている。そのため、この配列パターンを形成できるように、雄型ローラ１１の周面に多数の型押し凸部１１ａが設けられているとともに、雌型ローラ１２の周面に多数の型押し凹部１２ａが設けられていて、それらの形状は、前記配列パターンに対応した波形となっている。この点以外は第１実施形態と同じ構成である。
【００４３】
この第５実施形態では、レシート用紙５に波形に付与した各被型押し部１５及び地模様５ａが互いの存在により一直線に連続して並ばないので、あらゆる方向に沿うレシート用紙５の反りが矯正される。しかも、第１実施形態と同様に各被型押し部１５の投影方向に他の複数の被型押し部１５が常に複数交差しているので、各被型押し部１５が、前記一直線に対して直角に交差する方向の反りに対する抵抗となる。
【００４４】
したがって、第５実施形態でも、第１実施形態と同じ作用を得て本発明の課題を解決して、印刷された用紙のあらゆる方向についての反りを確実に除去できる。
【００４５】
なお、本発明は前記各実施形態には制約されない。例えば、第１、第２、第５の実施形態では、被型押し部と地模様との関係が、第３、第４実施形態で例示したように逆の関係となるように型押し凸部１１ａと型押し凹部１２ａを設けることもできる。
【００４６】
又、雄型ローラ１１と雌型ローラ１２には、例えば長片が短片の２倍の長さをなす長方形の一端部に他の同種長方形の一端部を直角に交わるように配置してなる一つの並び位を、連続又は非連続に多数縦横に並べた配列パターンである所謂矢羽積構造に相当する型押しパターンを形成できるように、同様な配列パターンの型押し凸部１１ａと型押し凹部１２ａとを設けて実施することもできる。
【００４７】
又、本発明において、型押し凸部１１ａと型押し凹部１２ａの形状は、既述の各実施形態に示したように連続的又は非連続的な幾何学的形状に制約されず、文字、符号、記号例えば標章等であってもよい。更に、幾何学形状の被型押し部に記号例えば標章等などが型押しして入るように、該当する凹凸の型押し要素を雄型ローラ１１と雌型ローラ１２に追加して実施することもできる。
【００４８】
又、本発明は、ロール紙以外の枚葉紙に印刷をし、この印刷に伴って印刷済み枚葉紙に曲げ癖が付与される構成のプリンタにも適用できる。
【図面の簡単な説明】
【００４９】
【図１】本発明の第１実施形態に係るプリンタの構成を概略的に示す断面図。
【図２】図１のプリンタ装置が備える反り矯正部を示す斜視図。
【図３】図２の反り矯正部で型押しされた用紙を示す平面図。
【図４】図３中Ａ−Ａ線に沿って示す斜視図的に示す断面図。
【図５】本発明の第２実施形態が備える反り矯正部で型押しされた用紙を示す平面図。
【図６】本発明の第３実施形態が備える反り矯正部で型押しされた用紙を示す平面図。
【図７】本発明の第４実施形態が備える反り矯正部で型押しされた用紙を示す平面図。
【図８】本発明の第５実施形態が備える反り矯正部で型押しされた用紙を示す平面図。
【符号の説明】
【００５０】
１…プリンタ、２…給紙部、３…印刷部、４…反り矯正部、５…レシート用紙（用紙）、５ａ…地模様、８…プラテン、９…印刷ヘッド、１１…雄型ローラ、１１ａ…型押し凸部、１２…雌型ローラ、１２ａ…型押し凹部、１５…被型押し部、１５ａ…被型押し部の縁
【図１】
2007168992.tif 000003
【図２】
2007168992.tif 000004
【図３】
2007168992.tif 000005
【図４】
2007168992.tif 000006
【図５】
2007168992.tif 000007
【図６】
2007168992.tif 000008
【図７】
2007168992.tif 000009
【図８】
2007168992.tif 000010